【事件の表示】
　特願２００１−３９７８０９「フェルールの製造方法」拒絶査定不服審判事件〔平成１５年　７月　９日出願公開、特開２００３−１９５１０７〕について、次のとおり審決する。
【結　論】
　本件審判の請求は、成り立たない。
【理　由】
１　手続の経緯
　本願は、平成１３年１２月２７日に出願したものであって、平成１８年２月９日付けで手続補正がなされたが、同年９月２２日付けで拒絶査定がなされ、これに対し、同年１１月１６日付けで拒絶査定不服審判請求がなされた後、同年１２月１５日付けで手続補正（以下「本件補正」という。）がなされたものである。
　
２　本件補正についての却下の決定
（１）結論
　 本件補正を却下する。
　
（２）理由
　ア　補正の内容
　本件補正は、特許請求の範囲の請求項１を、補正前の
「位置決めピンが挿通されたピン孔と、光ファイバが挿通される複数のファイバ孔が所定ピッチで複数段配列して設けられるフェルールの製造方法であって、
前記ピン孔を形成する第１の成形ピンの一端を第１及び第２の金型で、前記複数段のファイバ孔を形成する複数の第２の成形ピンの一端を複数の保持孔で、それぞれ位置決め保持しながら、前記第１及び第２の金型内に合成樹脂を注入して製造することを特徴とするフェルールの製造方法。」
から、
「位置決めピンが挿通されるピン孔と、光ファイバが挿通される複数のファイバ孔が所定ピッチで複数段配列して設けられるフェルールの製造方法であって、第１
金型と第２金型と、これら金型に挟まれて配置される前記ピン孔を形成する成型ピンと前記ファイバ孔を形成する成型ピンとからなり、前記第１金型は、その前部に所定ピッチで複数段に形成された保持孔が形成され、前記保持孔の両側部の前記前部の表面にＶ溝が形成され、前記ファイバ孔を形成する複数の成型ピンの先端が前記保持孔にそれぞれ挿入され、更に前記ピン孔を形成する成型ピンの先端が前記Ｖ溝に嵌められて搭載され、前記第２金型はその前部に前記保持孔を収納する凹部と前記Ｖ溝に対応する位置に台形の溝が形成されて前記第１金型の上に被せられ、これによって形成される第１金型と第２金型とによって形成されるキャビティ内
に補正しようとする内容を含むものである。
　
　イ　補正の目的
　上記補正の内容は、補正前の請求項１における「第１及び第２の金型」をさらに具体的に限定しようとするものであって、平成１８年改正前特許法第１７条の２第４項第２号に規定する特許請求の範囲の減縮を目的とするものに該当すると認められる。
　
　ウ　独立特許要件
　本件補正後の請求項１に係る発明（以下「本願補正発明」という。）が特許出願の際独立して特許を受けることができるものであるかについて検討する。
　
（ア）刊行物の記載
　ａ　原査定の拒絶理由に引用した特開平９−３１８８４４号公報（以下「刊行物１」という。）には、以下の記載がある。
　
（ａ）「【請求項１】  光ファイバ孔形成用ピンおよびガイド孔形成用ピンを金型内で位置決め固定し、トランスファ成形、射出成形などの成形手段により製造する多心光コネクタフェルールの製造方法において、２本のガイド孔形成用ピンの中心を結ぶ方向に光ファイバ孔形成用ピンを二段配列させ、また、ガイド孔形成用ピン位置決め機構および光ファイバ孔形成用ピン位置決め機構を有するブロックＡ、Ｂを対向するよう上下に組み合わせ、二段配列した光ファイバ孔形成用ピンの上段ピンを上型のピン位置決め機構で、下段ピンを下型のピン位置決め機構で位置決めし、上下段のピンの間に設けられたスペーサでピンを固定することにより、光コネクタフェルールのガイド孔の中心を結ぶ方向に二段の光ファイバ孔を形成することを特徴とする、多心光コネクタフェルールの製造方法。」
　
（ｂ）「【０００２】
【従来の技術】２本のガイドピンを用いて結合する多心光コネクタの、光コネクタフェルール端面における光ファイバ孔の配列としては、図９に示されるように一次元配列（直線状配列）が一般的である。図７は、従来の一次元配列型の多心光コネクタフェルールを製造する金型の斜視図である。図８は、図７の金型の断面図である。図９は、図７〜８の金型を用いて製造される従来の一次元配列型の多心光コネクタフェルールの斜視図である。図７〜９において、１は光コネクタフェルール、３、３’はガイド孔、４は光ファイバ孔、５は光ファイバ孔形成用ピン、６はガイド孔形成用ピン、１０は本体、１１は下型、１３は光ファイバ孔形成用ピン位置決め機構、１３’はガイド孔形成用ピン位置決め機構、１７は上型である。
【０００３】図７に示されるように、このような光ファイバ孔が一次元配列している光コネクタフェルールを製造する金型では、主に上型１７、下型１１のいづれか一方の金型に孔形成用ピン位置決め機構（光ファイバ孔形成用ピン位置決め機構１３、ガイド孔形成用ピン位置決め機構１３’）が設けてあり、それに光ファイバ孔形成用ピン５、ガイド孔形成用ピン６を位置決めし、他方の金型（図７の場合、上型１７）でその位置を固定する構造となっていた。」
　
（ｃ）「【００１０】本発明を図面に基づいて詳細に説明する。図１は、本発明による４心×２段の二次元配列型光コネクタフェルールの製造方法の特徴を示す金型の断面図の例である。図２は、本発明により製造される光コネクタフェルール端面の光ファイバ孔の二次元配列例を示す模式図である。図３は、本発明による二次元配列型光コネクタフェルールの製造方法の特徴を示す金型の側面の断面図である。
【００１１】図４は、本発明により製造される二次元配列型光コネクタフェルールの側面の断面図である。図５は、本発明により製造される１２心×２段の二次元配列型光コネクタフェルールの斜視図である。図６は、光ファイバ孔形成用ピンを固定するためのスペーサを説明する概略図である。図１〜６において、１は光コネクタフェルール、３、３’はガイド孔、４、４’は光ファイバ孔、５、５’は光ファイバ孔形成用ピン、６、６’はガイド孔形成用ピン、７はスペーサ、８はキャビティ、９、９’はスペーサ位置決め用ガイドピン、１１は下型、１７は上型である。
【００１２】
【作用】図面を参考にして本発明の多心光コネクタフェルールの作用を以下に説明する。本発明においては、(a) 従来の一次元配列型の光コネクタフェルールと同外形寸法で、図５に示されるように、光コネクタフェルール端面両端のガイド孔３、３’によって挟まれる領域に光ファイバ孔４、４’を上下二次元に形成することができる（クレーム１）ため、一次元配列型と比較して二倍の実装密度を有する光コネクタフェルールを製造できると同時に、１心当たりの製造コストを低減することができる。
【００１３】(b) 図１に示されるように、ブロックＡ、Ｂ（図の場合、上型１７、下型１１が対応する）の各々に設けられている孔形成用ピン位置決め機構（光ファイバ孔形成用ピン位置決め機構１３、ガイド孔形成用ピン位置決め機構１３’が対応する）の断面形状を、光ファイバ孔形成用ピン５、５’を２点で支持する形状にすることにより（クレーム２）、更に上下段の各々の光ファイバ孔形成用ピン５、５’を、間に挟まれたスペーサ７の平面上の１点で支持することにより（クレーム１）、安定して位置決め固定することができる。
【００１４】(c) 図１の例１、３、４に示されるように、ブロックＡ、Ｂの各々に設けられている２つのガイド孔形成用ピン位置決め機構の断面形状を、ブロックＡではガイド孔形成用ピンを２点で支持する同一形状とし、更にブロックＢでもブロックＡとほぼ同一な形状とすることにより（クレーム３）、金型にピン位置決め機構を加工する際に同一の砥石を用いることができるため、短時間で容易に高精度な加工をすることができる利点を有する。
【００１５】(d)図１の例２、５に示されるように、ブロックＡ、Ｂの各々に設けられている２つのガイド孔形成用ピン位置決め機構の断面形状を、ブロックＡ、Ｂのいづれか一方ではガイド孔形成用ピンを２点で支持する同一形状とし、他方では１本のガイド孔形成用ピンを２点で支持し、もう１本のガイド孔形成用ピンを２本のガイド孔形成用ピンの中心を結ぶ方向に平行な平面の１点で支持する形状とすることにより（クレーム４）、ブロックＡ、Ｂの各々に設けられたガイド孔形成用ピン位置決め機構の配列ピッチのズレ量を厳しく管理する必要が無くなる利点を有する。
【００１６】(e) 上記いづれのガイド孔形成用ピン位置決め機構の断面形状においても、ブロックＡ、Ｂを組み合わせた時にガイド孔形成用ピンは、断面図で３点或いは４点で支持されるため安定して固定される。
(f) 図６に示されるように、光コネクタフェルールを形成するキャビティ部の前方で光ファイバ孔形成用ピンを固定するスペーサ７に、スペーサ位置決め用ガイドピン９を設けることで（クレーム５）ブロックＡ、Ｂの型締め時および成形時において、スペーサ７を所定の位置に安定して固定することができる。」
　
（ｄ）光ファイバ孔形成用ピン位置決め機構の両側部に形成したガイド孔形成用ピン位置決め機構に関し、図１には、上型及び下型にＶ溝を形成したもの（例１、例３）、上型にＶ溝と略矩形の溝、下型にＶ溝を形成したもの（例２）、上型及び下型に台形の溝を形成したもの（例４、例５）、図８には、上型に略矩形の溝、下型にＶ溝を形成したものが示されている。
　
　ｂ　原査定の拒絶理由に引用した特開２００１−３１８２７６号公報（以下「刊行物２」という。）には、以下の記載がある。
　
（ａ）「【００１７】図２３は、先行例の多心光コネクタにおけるフェルールを成形するための金型の一例を説明するためのものであり、図２３（Ａ）は本体部の断面図、図２３（Ｂ）は位置決め部の断面図、図２３（Ｃ）は中子部の断面図、図２３（Ｄ）は各部を組み立てた状態の断面図である。図中、４１は本体部材、４１ａは突出部、４２，４３は中子部材、４４はスペーサ部材、４５は成形ピン、４５ａは光ファイバ挿入穴形成部、４５ｂは光ファイバ挿入ガイド溝形成部、４６は位置決め部材である。
【００１８】図２３（Ａ）の本体部材４１は、図２２で説明したフェルールの外側面を取り囲むように形成され、窓穴を形成する突出部４１ａが設けられている。図では、１つの部材として図示したが、成形後に成形されたフェルールから本体部材４１を外すことができるように、適当なブロックに分割されて構成されている。例えば、上下に２分割されてもよい。また、図示しない樹脂注入孔が設けられている。
【００１９】図２３（Ｂ）の位置決め部材４６は、成形ピン４５の先端部を位置決めをするとともに、フェルールの前端面を決定する。成形ピン４５の先端部の光ファイバ挿入穴形成部４５ａは、光ファイバ挿入穴３２ａ，３２ｂ（図２０，図２１）を形成するものであり、その外径は光ファイバの外径に相当するものであり、例えば、外径１２５μｍの光ファイバを取り付けるフェルールにおいては、公差１μｍを見込んで、１２６μｍとする。ガイドピン穴３３（図２０）を取り付けるための成形ピンも取り付けられているが、図示を省略する。・・・
【００２０】図２３（Ｃ）の中子部は、上下に分割可能に構成された下部の中子部材４２と上部の中子部材４３を有し、前方に成形ピン４５が取り付けられている。上下２列に配列された成形ピン４５の光ファイバ挿入ガイド溝形成部４５ｂの間にスペーサ部材４４が挿入され、成形ピン４５の位置決めをするとともに、突出部４０ｂ（図２２）の先端部の位置を決定する。成形ピン４５の光ファイバ挿入ガイド溝形成部４５ｂは、光ファイバ挿入ガイド穴３８ａ，３８ｂ（図２１，図２２）および光ファイバ挿入ガイド溝３５ａ，３５ｂ（図２０，図２１，図２２）を形成するためのものである。この例では、光ファイバ挿入ガイド穴３８ａ，３８ｂ（図２１，図２２）および光ファイバ挿入ガイド溝３５ａ，３５ｂの直径をともにＤ（図２４）としたから、光ファイバ挿入ガイド溝形成部４５ｂの外径はＤである。
【００２１】図２３（Ｄ）は、各部を組み立てた状態であり、本体部の前方から位置決め部の位置決め部材４６が位置決めされ、後方から中子部が挿入されて位置決めされる。このとき、成形ピン４５の先端部が位置決め部材４６の穴に嵌合され、金型が組み立てられる。この金型に樹脂を注入することによって、図２０，図２２に示すフェルールが成形できる。なお、この例では、位置決め部材４６を本体部材４１に一体化しておくことも可能である。」
　
（ｂ）「【００４３】
　図４は、多心光コネクタにおけるフェルールを成形するための本発明の金型の第１の実施の形態の一例を説明するためのものであり、図４（Ａ）は本体部の断面図、図４（Ｂ）は位置決め部の断面図、図４（Ｃ）は中子部の斜視図、図４（Ｄ）は各部を組み立てた状態の断面図である。図中、１１は本体部材、１１ａは突出部、１２は位置決め部材、１３，１４は成形ピン、１５，１６は中子部材、１３ａ，１４ａは光ファイバ挿入穴形成部、１３ｂ，１４ｂは角形形状部、１３ｃ，１４ｃはテーパ部、１３ｄ，１４ｄは光ファイバ挿入ガイド部形成部である。
【００４４】
　図４（Ａ）の本体部材１１は、図３で説明したフェルールの外側面を取り囲むように形成され、窓穴を形成する突出部１１ａが設けられている。図では、１つの部材として図示したが、成形後に成形されたフェルールから本体部材１１を外すことができるように、適当なブロックに分割されて構成されている。例えば、上下に２分割されてもよい。また、図示しない樹脂注入孔が設けられている。
【００４５】
　図４（Ｂ）の位置決め部材１２は、成形ピン１３，１４の先端部を位置決めをするとともに、フェルールの前端面を決定する。成形ピン１３，１４の先端部の光ファイバ挿入穴形成部１３ａ，１４ａは、光ファイバ挿入穴２ａ，２ｂ（図１，図３）を形成するものであり、その外径は光ファイバの外径に相当するものであり、例えば、外径１２５μｍの光ファイバを取り付けるフェルールにおいては、公差１μｍを見込んで、１２６μｍとする。ガイドピン穴３（図１）を取り付けるための成形ピンも取り付けられているが、図示を省略する。・・・
【００４７】
　図４（Ｄ）は、各部を組み立てた状態であり、本体部１１の前方から位置決め部の位置決め部材１２が位置決めされ、後方から中子部が挿入されて位置決めされる。このとき、成形ピン１３，１４の先端部が位置決め部材１２の穴に嵌合され、金型が組み立てられる。この金型に樹脂を注入することによって、図１，図３に示すフェルールが成形できる。なお、この例では、位置決め部材１２を本体部材１１に一体化しておくことも可能である。」
　
（ｃ）図２３及び図４には、成形ピン４５ないし成形ピン１４が上下２段に設けられる様子が示されるところ、図２０及び図１には、光ファイバ挿入穴３２ａ、３２ｂないし光ファイバ挿入穴２ａ、２ｂが所定ピッチで上下２段に形成されていること示されているから、成形ピン４５ないし成形ピン１４も所定ピッチで上下２段に設けられることが明らかである。
　
（イ）引用発明
　上記（ア）ａ（ａ）によれば、刊行物１には、次の発明が記載されているものと認められる。
「光ファイバ孔形成用ピンおよびガイド孔形成用ピンを金型内で位置決め固定し、トランスファ成形、射出成形などの成形手段により製造する多心光コネクタフェルールの製造方法において、２本のガイド孔形成用ピンの中心を結ぶ方向に光ファイバ孔形成用ピンを二段配列させ、また、ガイド孔形成用ピン位置決め機構および光ファイバ孔形成用ピン位置決め機構を有するブロックＡ、Ｂを対向するよう上下に組み合わせ、二段配列した光ファイバ孔形成用ピンの上段ピンを上型のピン位置決め機構で、下段ピンを下型のピン位置決め機構で位置決めし、上下段のピンの間に設けられたスペーサでピンを固定することにより、光コネクタフェルールのガイド孔の中心を結ぶ方向に二段の光ファイバ孔を形成する、多心光コネクタフェルールの製造方法。」（以下「引用発明」という。）
　
（ウ）対比
　本願補正発明と引用発明とを対比する。
　
　ａ　引用発明の「ガイド孔形成用ピン」、「ガイド孔」、「光ファイバ孔」及び「多心光コネクタフェルール」は、それぞれ、本願補正発明の「位置決めピン」、「位置決めピンが挿通されるピン孔」、「ファイバ孔」及び「フェルール」に相当する。
　また、引用発明は、「多心光コネクタフェルールの製造方法」であって、多心光コネクタフェルールにおいて、複数のファイバ孔が所定ピッチで設けられることは技術常識であるから、引用発明の「二段の光ファイバ孔を形成する」は、本願補正発明の「光ファイバが挿通される複数のファイバ孔が所定ピッチで複数段配列して設けられる」に相当する。
　
　ｂ　引用発明の「ブロックＡ、Ｂ」は、本願補正発明の「第１金型と第２金型」に相当する。
　
　ｃ　引用発明の「ガイド孔形成用ピン」及び「光ファイバ孔形成用ピン」は、それぞれ、本願補正発明の「ピン孔を形成する成型ピン」及び「ファイバ孔を形成する成型ピン」に相当する。
　
　ｄ　引用発明の「ガイド孔形成用ピン位置決め機構」は、「位置決めピン」の位置決め機構である点において、本願補正発明の、第１金型に形成された「Ｖ溝」及び第２金型に形成された「台形の溝」と一致し、引用発明の「ガイド孔形成用ピンを金型内で位置決め固定し」は、位置決めピンを金型内で位置決め固定する点で、本願補正発明の、「ピン孔を形成する成型ピンの先端がＶ溝に嵌められて搭載され、第２金型はその前部に・・・前記Ｖ溝に対応する位置に台形の溝が形成されて第１金型の上に被せられ」と一致する。
　また、本願補正発明の、第１金型に形成される「Ｖ溝」は、「保持孔の両側部」に形成されるものであるから、これに搭載される「ピン孔を形成する成型ピン」は２本であり、この点において、引用発明の「２本のガイド孔形成用ピン」と一致し、両者において形成される「位置決めピンが挿通されるピン孔」は２本である点で一致するものと認められる。
　
　ｅ　引用発明の「光ファイバ孔形成用ピン位置決め機構」は、「ファイバ孔を形成する成型ピン」の位置決め機構である点において、本願補正発明の、第１金型に形成された「保持孔」と一致し、引用発明の「ガイド孔形成用ピンを金型内で位置決め固定し」は、ファイバ孔を形成する成型ピンを金型内で位置決め固定する点で、本願補正発明の、「ファイバ孔を形成する複数の成型ピンの先端が前記保持孔にそれぞれ挿入され」と一致する。
　
　ｆ　多心光コネクタフェルールを合成樹脂により形成することは技術常識であるところ、引用発明は、「光ファイバ孔形成用ピンおよびガイド孔形成用ピンを金型内で位置決め固定し、トランスファ成形、射出成形などの成形手段により製造する多心光コネクタフェルールの製造方法」であるから、本願補正発明の「第１金型と第２金型とによって形成されるキャビティ内に合成樹脂を注入して製造する」との構成を備えるものと認められる。
　
　ｇ　以上によれば、両者は、
「位置決めピンが挿通される２本のピン孔と、光ファイバが挿通される複数のファイバ孔が所定ピッチで複数段配列して設けられるフェルールの製造方法であって、第１金型と第２金型と、これら金型に挟まれて配置される前記ピン孔を形成する成型ピンと前記ファイバ孔を形成する成型ピンとからなり、前記第１金型及び前記第２金型は、前記位置決めピンの位置決め機構及びファイバ孔を形成する前記成型ピンの位置決め機構を有し、前記位置決めピン及びファイバ孔を形成する前記成型ピンをこれら金型内で位置決め固定し、前記第１金型と前記第２金型とによって形成されるキャビティ内に合成樹脂を注入して製造するフェルールの製造方法。」
である点で一致し、下記（ａ）及び（ｂ）の点で相違するものと認められる。
　
（ａ）「ファイバ孔を形成する成型ピンの位置決め機構」が、本願補正発明では、第１金型の前部に所定ピッチで複数段に形成された保持孔であるのに対し、引用発明では、上型のピン位置決め機構及び下型のピン位置決め機構並びに上下段のピンの間に設けられたスペーサであり、「ファイバ孔を形成する成型ピン」の「金型内で位置決め固定」が、本願補正発明では、前記成型ピンの先端が前記保持孔に挿入して行われるのに対し、引用発明では、二段配列した光ファイバ孔形成用ピンの上段ピンを上型のピン位置決め機構で、下段ピンを下型のピン位置決め機構で位置決めし、上下段のピンの間に設けられたスペーサでピンを固定して行われる点（以下「相違点１」という。）。
　
（ｂ）本願補正発明では、「位置決めピンの位置決め機構」が、第１金型の前部に形成された保持孔の両側部の前記前部の表面に形成されたＶ溝、及び、第２金型の、前記Ｖ溝に対応する位置に形成された台形の溝であり、「位置決めピン」の「金型内で位置決め固定」が、ピン孔を形成する成型ピンの先端が前記Ｖ溝に嵌められて搭載され、第２金型が第１金型の上に被せられて行われるのに対して、引用発明では、「位置決めピンの位置決め機構」、及び、「位置決めピン」の「金型内で位置決め固定」が、このように特定されるものではない点（以下「相違点２」という。）。
　
（エ）相違点についての判断
　ａ　相違点１について
（ａ）上記（ア）ｂによれば、刊行物２には、多心光コネクタにおけるフェルールを成形するための金型の本体部材は、成形後に成形されたフェルールから本体部材を外すことができるように、例えば上下に２分割されていること（段落【００１７】【００１８】、【００４３】【００４４】）、所定ピッチで上下２段に設けられる光ファイバの挿入穴を形成する成形ピンの先端部が位置決めされる位置決め部材が、本体部材前部に形成された凹部に収納され（段落【００１９】及び図２３、【００４５】及び図４）、成形ピンの先端部が位置決め部材の穴に嵌合されて金型が組み立てられ、位置決め部材を本体部材に一体化しておくことも可能であること（段落【００２１】、【００４７】）が記載されているものと認められる。
　ここで、金型の本体部材は、成形後に成形されたフェルールから本体部材を外すことができるように、例えば上下に２分割されるものであるから、位置決め部材を本体部材に一体化するとは、分割された一方の本体部材に一体化することを意味することは明らかである。
　そうすると、刊行物２には、多心光コネクタにおけるフェルールを成形するための金型において、上下に２分割された本体部材の一方に、所定ピッチで上下２段に設けられる光ファイバの挿入穴を形成する成形ピンの先端部が位置決めされる位置決め部材を一体化し、前記位置決め部材を本体部材の他方の前部に形成された凹部に収納するとともに、成形ピンの先端部を位置決め部材の穴に嵌合して金型が組み立てられる技術が記載されているものと認められる。
　
（ｂ）そして、刊行物２記載の上記技術は、多心光コネクタフェルールの製造技術である点で引用発明と共通するものであるから、引用発明における「ファイバ孔を形成する成型ピンの位置決め機構」に代えて、刊行物２記載の上記技術を適用し、ブロックＡ、Ｂの一方の前部に光ファイバ孔形成用ピンを嵌合する孔を有する位置決め部材を一体化し、前記位置決め部材を本体部材の他方の前部に形成された凹部に収納するとともに、光ファイバ孔形成用ピンの先端部を位置決め部材の孔に嵌合して金型が組み立てられる構成とすることは、当業者が容易になし得る程度のことである。
　そして、この際、位置決め部材を上下のいずれのブロックに一体化するかは、当業者が設計上適宜選択し得る程度のことであって、下方のブロックに位置決め部材を一体化させることは、当業者が適宜なし得る程度のことである。
　
（ｃ）しかるところ、上記（ｂ）における、下方のブロックの前部に一体化した位置決め部材が有する光ファイバ孔形成用ピンを嵌合する孔とは、本願補正発明における「第１金型の前部に所定ピッチで複数段に形成された保持孔」に相当し、上記（ｂ）における、光ファイバ孔形成用ピンの先端部を位置決め部材の孔に嵌合することは、本願発明における「成型ピンの先端が前記保持孔に挿入」されることに相当するから、引用発明において、相違点１に係る本願発明の構成とすることは、刊行物２記載の技術に基づいて当業者が容易になし得たものである。
　
　ｂ　相違点２について
　前記（２）ａ（ｂ）ないし（ｄ）によれば、刊行物１には、光コネクタを製造するための金型に形成するガイド溝形成用ピンの位置決め機構として、Ｖ型、略矩形の溝、台形の溝を種々組み合わせて光ファイバ孔形成用ピン位置決め機構の両側部に形成したものが記載されているものと認められるから、引用発明において、上記ａ（ｂ）のごとく、下方のブロックに位置決めブロックを一体化する際、下方のブロックに一体化した位置決めブロックが有する光ファイバ孔形成用ピンを嵌合する孔、即ち「保持孔」の両側にＶ溝を形成するとともに、上方のブロックに台形の溝を形成して「位置決めピンの位置決め機構」とすることは、当業者が設計上適宜なし得る程度のことである。
　そして、本願明細書（本件補正後のもの。）の記載をみても、本願補正発明において、「位置決めピンの位置決め機構」が、第１金型に形成されたＶ溝、及び、第２金型に形成された台形の溝であることの格別の技術的意義も記載されていないから、結局のところ、引用発明において、相違点２に係る本願補正発明の構成とすることは、当業者が設計上適宜なし得る程度のことである。
　
（オ）小括
　以上のとおりであるから、本願補正発明は、引用発明及び刊行物２記載の技術に基づいて当業者が容易に発明をすることができたものであって、特許法第２９条第２項の規定により、特許出願の際独立して特許を受けることができないものである。
　したがって、本件補正は、平成１８年改正前特許法第１７条の２第５項において準用する同法第１２６条第５項の規定に違反するものであるから、同法第１５９条第１項の規定において読み替えて準用する同法第５３条第１項の規定により却下すべきものである。
　
３　本願発明について
（１）本願発明
　上記のとおり、本件補正は却下されたので、本願の請求項に係る発明は、平成１８年２月９日付けで補正された明細書及び図面の記載からみて、その特許請求の範囲の請求項１ないし請求項３に記載された事項によって特定されるものであるところ、請求項１に係る発明（以下「本願発明」という。）は、前記２（２）アに、補正前のものとして摘示したとおりのものである。
　
（２）判断
　前記２（２）イのとおり、本件補正は、本願発明に係る特許請求の範囲を減縮したものと認められる。
　しかるところ、上記２（２）ウで検討したとおり、本願発明に係る特許請求の範囲を減縮したものである本願補正発明が、引用発明及び刊行物２記載の技術に基づいて当業者が容易に発明をすることができたものである以上、減縮前の本願発明も、本願補正発明と同様の理由により、引用発明及び刊行物２記載の技術に基づいて当業者が容易に発明をすることができたものである。
　
４　むすび
　以上の検討によれば、本願発明は、刊行物１及び刊行物２にそれぞれ記載された発明に基づいて当業者が容易に発明をすることができたものであるから、特許法第２９条第２項の規定により特許を受けることができない。
　よって、結論のとおり審決する。